(57)【特許請求の範囲】
【請求項１】
紙ガイド部材の紙搬送方向の上手側の上面に用紙の引込み用ガイド面を、下手側の上面にプラテンの周面へ用紙を送り出す引渡し用ガイド面をそれぞれ形成し、かつ該紙ガイド部材に上記プラテンの周面に接離するローラを上記用紙の搬送方向に離間して２個配設するとともに、上記紙ガイド部材が、単票紙の搬送モードでは上記２個のローラを上記プラテンの周面に圧接し、かつ上記引込み用ガイド面の傾斜角が強くなるように、また連続紙の搬送モードでは上記搬送方向の上手側の上記ローラを上記プラテンの周面から離間させ、下手側の上記ローラを上記プラテンの周面に圧接させ、かつ上記引込み用ガイド面の傾斜角が緩くするよう揺動可動に配設したことを特徴とするプリンタの紙送り機構。
【請求項２】
上記紙ガイド部材に作用して上記ローラを上記プラテンの周面に圧接させる付勢部材と、上記紙ガイド部材に作用して該紙ガイド部材を揺動変位させる操作部材を配設したことを特徴とする請求項１記載のプリンタの紙送り機構。
【請求項３】
紙ガイド部材を、傾斜角の緩い引込み用ガイド面を有する固定ガイド部材と、プラテンの周面に接離するローラを備え、かつ傾斜角の強い引込み用ガイド面を有する可動ガイド部材とによって構成するとともに、上記可動ガイド部材を、単票紙の搬送時と連続紙の搬送モードに応じて上記ローラを上記プラテンの周面に圧接、離間させると同時に、上記紙ガイド部材の引込み用ガイド面を上記固定ガイド部材の引込み用ガイド面から出し入れ可能に揺動自在に配設したことを特徴とするプリンタの紙送り機構。
【請求項４】
上記可動紙ガイド部材に作用して上記ローラを上記プラテンの周面に圧接させる付勢部材と、上記可動紙ガイド部材に作用して該可動紙ガイド部材を揺動変位させる操作部材を配設したことを特徴とする請求項３記載のプリンタの紙送り機構。
【発明の詳細な説明】
【０００１】
【発明の属する技術分野】
本発明はプリンタの紙送り機構に関し、より詳しくは、単票紙・連続紙のそれぞれに適した紙送りを可能にするプリンタの紙送り機構に関する。
【０００２】
【従来の技術】
単票紙と連続紙のそれぞれに記録書込みを行えるようにした小型のプリンタでは、一般に、連続紙を給送するプッシュトラクタの上方に単票紙の給送機構を配設するとともに、プラテンに到る給紙経路については、自重落下によって単票紙をプラテンに喰い付かすことができるよう紙経路にある程度の傾斜角を持たせるようにしていたため、連続紙を給送する場合には、傾斜角がきつすぎて上層紙と下層紙の経路長に違いが生じる結果、層間ズレを生じかねないといった不都合が生じる。
【０００３】
【発明が解決しようとする課題】
本発明はこのような問題に鑑みてなされたもので、その目的とするところは、単票紙・連続紙のそれぞれの送りに適した紙経路を構成し得る新たなプリンタの紙送り機構を提供することにある。
【０００４】
【課題を解決するための手段】
すなわち、本発明はこのような課題を達成するためのプリンタの紙送り機構として、紙ガイド部材の紙搬送方向の上手側の上面に用紙の引込み用ガイド面を、下手側の上面にプラテンの周面へ用紙を送り出す引渡し用ガイド面をそれぞれ形成し、かつ該紙ガイド部材に上記プラテンの周面に接離するローラを上記用紙の搬送方向に離間して２個配設するとともに、上記紙ガイド部材が、単票紙の搬送モードでは上記２個のローラを上記プラテンの周面に圧接し、かつ上記引込み用ガイド面の傾斜角が強くなるように、また連続紙の搬送モードでは上記搬送方向の上手側の上記ローラを上記プラテンの周面から離間させ、下手側の上記ローラを上記プラテンの周面に圧接させ、かつ上記引込み用ガイド面の傾斜角が緩くするよう揺動可動に配設した。
【０００５】
【作用】
このように構成したことにより、単票紙を搬送する際は、ローラをプラテンの周面に圧接させ、かつ引込み用ガイド面の傾斜角を強くするように紙ガイド部材を変位させることにより、単票紙の自由落下によるプラテンへの喰い付きをよくし、連続紙を搬送する際は、ローラをプラテンから離間させるとともに、引込み用ガイド面の傾斜角が緩やかになるにるよう変位させ、紙搬送経路の曲率を緩めて層間ズレを生じさせないようにする。
【０００６】
【発明の実施の形態】
そこで以下に本発明の実施例について説明する。
図面はいずれも本発明の一実施例を示したものである。
【０００７】
図１は本発明の第１の実施例を示したもので、記録書込み部の紙搬送方向上手側には、プラテン１０に沿うようにして２つのピンチローラ４、５を軸支した可動ガイドブロック３が揺動自在に取付けられている。
【０００８】
この可動ガイドブロック３は、給送すべき用紙が単票紙の場合には、図１（ａ）に示したように、前後２つのピンチローラ４、５をプラテン１０の周面に圧接させるとともに水平面に対する紙案内経路の傾斜角θをピンチローラ４及びピンチローラ５の配列面に対して大きくするように操作され、また、連続紙を給送する場合には、図１（ｂ）に示したように、紙搬送方向上手側のピンチローラ４をプラテン１０の周面から離間させるとともに紙案内経路の傾斜角φをピンチローラ４及びピンチローラ５の配列面に対して小さくするよう操作されるように構成されている。
【０００９】
すなわち、紙搬送方向上手側の上面を平坦な引込み側ガイド面３ａ、紙搬送方向下手側の上面をプラテン１０の周面に沿う凹曲状の引渡し側ガイド面３ｂとなしたこの可動ガイドブロック３には、これらのガイド面３ａ、３ｂに沿うように軸支した前後２つのピンチローラ４、５をバネ６の付勢力によってプラテン１の周面に圧接させるように設けられており、さらに、この可動ガイドブロック３の紙搬送方向上手側に偏して設けた窓孔７には、断面Ｄ字型の操作カム杆８が回動自在に挿入されていて、窓孔７の下縁７ａから離間するように操作カム杆８を回動操作した場合には、バネ６の付勢力により２つのピンチローラ４、５をプラテン１０の周面に圧接させつつ引込み側ガイド面３ａが単票紙の給送部１１に向くよう引込み側ガイド面３ａに大きな傾斜角θを付与させ、また、窓孔７の下縁３ａを押圧するように操作カム杆８を回動操作した場合には、紙搬送方向下手側のピンチローラ４のみをプラテン１０の周面に接触させた状態で、引込み側ガイド面３ａがプッシュトラクタ１２の方に向くよう引込み側ガイド面３ａに小さな傾斜角φを付与させるように構成されている。
【００１０】
このように構成された実施例において、いま単票紙Ｓ1へ記録書込みを行うべく図示しないレバーを操作して断面Ｄ字型の操作カム杆８を回動操作して、このカム杆８を窓孔７の下端７ａから離間させると、図１（ａ）に示したように、可動ガイドブロック３は、バネ６の付勢力により前後２つのピンチローラ５、５をプラテン１０の周面に圧接させつつ、その引込み側ガイド面３ａを単票紙Ｓ1の給送部１１に向けて可動ガイドブロック３の面を大きく上方に傾斜させる。
【００１１】
このため、このガイド面に送り込まれてきた単票紙Ｓ1は、大きく傾斜した引込み側ガイド面３ａから引渡しガイド面３ｂに案内されつつ大きく湾曲し、かつ２つのピンチローラ５、５によってプラテン１の周面に強く圧接されながら記録書込み部へと搬送される。
【００１２】
また他方、連続紙Ｓ2に記録書込みを行うべく、図示しないレバーを介して断面Ｄ字型の操作カム杆８を回動操作し、図１（ｂ）に示したように、その一部によって窓孔７の下縁７ａを押圧すると、バネ６の付勢力を受けた可動ガイドブロック３は、窓孔７の下縁７ａを支点として図中時計方向に回動し、紙搬送方向下手側のピンチローラ４のみをプラテン１の周面に接触させつつ、その引込み側ガイド面３ａの傾斜角φを弱めて、この面３ａをプッシュトラクタ１２の方に向ける。
【００１３】
このため、プッシュトラクタ１２によって送り込まれた連続紙Ｓ2は、緩い傾斜角φを付与された引込み側ガイド面３ａから凹曲状の引渡しガイド面３ｂへと小さな曲率を画きながら、上層紙と下層紙との間で層間ズレを生じることなくプラテン１０の周面から記録書込み部へと送り込まれる。
【００１４】
図２は本発明の第２の実施例を示したものである。
図において符号２２は単票紙Ｓ1及び連続紙Ｓ2を案内する固定ガイドブロック７で、このガイドブロック２２の上半部分は櫛歯状をなしていて、その紙搬送方向上手側の上面には、プッシュトラクタ１２に向いた平坦な引込み側ガイド面２２ａが形成され、また紙搬送方向下手側の上面には、プラテン１０の周面に沿った凹曲状の引渡しガイド面２２ｂが形成されている。
【００１５】
これに対して図中符号２３で示す単票紙Ｓ1を案内する可動ガイドブロックは固定ガイドブロック２２内から出没し得るよう櫛歯状をなしていて、前後に軸支した２つのピンチローラ２４、２５を固定ガイドブロック２３と可動ガイドブロック２３との間に介装したバネ２６により常時プラテン１０の周面に向けて押圧するよう付勢され、さらに、この可動ブロック２３の上面には、紙搬送方向上手側の一半に単票紙Ｓ1を案内する大きい傾斜角θを備えた引込みガイド面２３ａが形成され、また紙搬送方向下手側の上面には、固定ガイドブロック２２の引渡しガイド面２２ｂに沿うように凹曲状をなした引渡しガイド面２３ｂが形成されていて、単票紙搬送時には、窓孔２７内に挿入した操作カム杆２８を下縁２７ａから離間させることにより可動ガイドブロック２３をバネ２６の付勢力により押上げ、引込み側ガイド面２３ａを固定ガイドブロック２２上に突出させ、また連続紙搬送時には、操作カム杆２８により窓孔２７の下縁２７ａを押下げることによって、引込み側ガイド面２３ａを固定ガイドブロック２２内に埋没させるように構成されている。
【００１６】
なお、図中符号２２ｃは、固定ガイドブロック２２の規制面２２ｃと当接して可動ガイドブロック２３の過回動を抑えるストッパを示している。
【００１７】
このように構成された実施例によって単票紙Ｓ1を案内する場合には、図２（ａ）に示したように、操作カム杆２８を窓孔２７の下縁２７ａから離間させるように回動操作し、前後２つのピンチローラ２４、２５がプラテン１０の周面に圧接するようバネ２６の付勢力によって可動ブロック２３を押上げ、その紙搬送方向上手側の引込み側ガイド面２３ａを固定ガイドブロック２２の引込み側ガイド面２３ａ上に突出させ紙搬送経路に大きな曲率を形成させて、単票紙Ｓ1のプラテン１０への食い付きをよくする。
【００１８】
これに対して連続紙Ｓ2を給送する場合には、図２（ｂ）に示したように、操作カム杆２８により可動ガイドブロック２３の紙搬送方向上手側部分を押下げ、紙搬送方向下手側のピンチローラ２４のみをプラテン１０の周面に圧接させつつ、その引込み側ガイド面２３ａを固定カイドブロック２２の内部へ沈み込ませることにより、連続紙Ｓ2を、固定ガイドブロック２２上に形成された緩い曲率を画くガイド面２２ａ、２２ｂに沿わせつつ、その層間ズレを防ぎながらプラテン１０の周面へ送り込むようにする。
【００１９】
ところで、上述した実施例は、可動ガイドブロック３、２３のそれぞれに２つのピンチローラ４、５、２３、２４を設けるようにしたものであるが、単一のピンチローラを軸支して、これを単票紙と連続紙の送りモードに応じてプラテン１０の周面から圧接・離間させるように構成することもできる。
【００２０】
【発明の効果】
以上述べたように本発明によれば、紙ガイド部材を、単票紙の搬送時と連続紙の搬送時に応じて保持したローラをプラテンに接離させるとともに、引込み側のガイド面の傾斜を強く弱く揺動変位させるようにしたので、搬送対象が単票紙の場合には、引込み側のガイド面の傾斜を強くし紙ガイド面の曲率を大きくして、単票紙の自重落下によるプラテンへの喰い付き性をよくする一方、搬送対象が連続紙の場合には、引込み側のガイド面の傾斜を緩くし紙ガイド面の曲率を小さくして、層間ずれの生じない紙搬送を可能にするなど、簡単な操作によって用紙の種類に応じた最適な紙搬送経路を容易に構成することができる。
【図面の簡単な説明】
【図１】本発明の一実施例をなすプリンタの紙送り機構について示したもので、（ａ）は単票紙の搬送状態について、（ｂ）は連続紙の搬送状態について示した図である。
【図２】（ａ）（ｂ）は、同上状態での本発明の他の実施例をなすプリンタの紙送り機構について示した図である。
【符号の説明】
３、２３  可動ガイドブロック
３ａ、２３ａ  引込み側ガイド面
３ｂ、２３ｂ  引渡しガイド面
４、５、２４、２５  ピンチローラ
８、２８  操作カム杆
１０  プラテン
１１  給紙部
１２  プッシュトラクタ
２２  固定ガイドブロック
【図１】
0003758016.tif 000002
【図２】
0003758016.tif 000003